(57)【要約】      （修正有）【課題】安価で構成を簡素化した冷却機構を備えた工作機械の制御盤の提供を目的とし、特に、制御盤内にて風向を可変することができる空気循環装置を提供する。【解決手段】工作機械を制御する各種電気機器を収納した制御盤内において、制御盤内の空気を循環させる循環ファンと、循環ファンの空気吹き出し口の開口部を有するファン取付け板４と、ファン取付け板を固定するファンブラケットと、ファンブラケットを３６０度回転自在にする角度調整金具２と、を備える。ファン取付け板は左右にある長穴４１Ｌ、４１Ｒの間でネジの固定箇所を移動して、風向可変型空気循環装置１を左右方向にスライド可能となるのが好ましい。【選択図】図３
0003194881.tif 000002
【実用新案登録請求の範囲】
【請求項１】
工作機械を制御する各種電気機器を収納した制御盤内において、
制御盤内の空気を循環させる循環ファンと、
該循環ファンの空気吹き出し口の開口部を有するファン取付け板と、
該ファン取付け板を固定するファンブラケットと、
該ファンブラケットを３６０度回転自在にする角度調整金具と、
を備えていることを特徴とする制御盤内の風向可変型空気循環装置。
【請求項２】
前記角度調整金具が毎２２．５度で回転自在である請求項１に記載の制御盤内の風向可変型空気循環装置。
【請求項３】
前記ファン取付け板が左右にスライド可能である請求項１又は２に記載の制御盤内の風向可変型空気循環装置。
【考案の詳細な説明】
【技術分野】
【０００１】
本考案は、制御盤内の高温空気滞留解消のための風向可変型空気循環装置に関するものである。
【背景技術】
【０００２】
近年、工作機械の制御盤内部には、サーボアンプ、シーケンサー、直流電源装置等の発熱する機器を多く収納する様になり制御盤内の温度が高くなり、制御機器の定格使用温度範囲の５５℃を超えるとエラーを起し、工作機械が停止する場合がある。その為、制御盤内の熱対策としてエアコンや熱交換器などの高価な機器を取り付けているが（例えば、特許文献１参照）、工場内の粉塵やミストによりフィルタ掃除やフィルタ交換等の日常メンテナンスに手間がかかり充分にメンテナンスされていなかったり、老朽化による能力低下によりエラーの発生が頻発し、生産に支障をきたし、特に夏場には制御盤の扉を開けて対応していることもある。
【０００３】
制御盤は、それ自体が鉄板であり自然に周囲外気と熱交換しているが、近年は工場内の空調も最適化されて自然冷却もし易くなっており、エアコンや熱交換器等の高価で高性能な装置を用いなくても安価な制御盤内用の送風・循環ファンで充分冷却効果が得られるようになってきた。
【先行技術文献】
【特許文献】
【０００４】
【特許文献１】実開昭６２−６５８９５号公報
【考案の概要】
【考案が解決しようとする課題】
【０００５】
本考案は、安価にて構成を簡素化することができる冷却機構を備えた工作機械の制御盤の提供を目的とし、特には、制御盤内にて風向を可変することができる空気循環装置を提供することである。
【課題を解決するための手段】
【０００６】
上記課題の解決手段として、本考案に係る制御盤内の風向可変型空気循環装置は、
工作機械を制御する各種電気機器を収納した制御盤内において、
制御盤内の空気を循環させる循環ファンと、
該循環ファンの空気吹き出し口の開口部を有するファン取付け板と、
該ファン取付け板を固定するファンブラケットと、
該ファンブラケットを３６０度回転自在にする角度調整金具と、
を備えていることを特徴とする。
【０００７】
この構成によって、工作機械の制御盤での冷却機構を簡素化することができ、また安価な風向可変型空気循環装置を提供することができる。
【０００８】
また、本考案に係る別の制御盤内の風向可変型空気循環装置において、角度調整金具が毎２２．５度で回転自在である。
【０００９】
上記構造では、角度調整金具により毎２２．５度にて回転自在であるため、循環ファンを高温に発熱する機器に向けて固定することが可能となり冷却効率を高めることが可能である。
【００１０】
また、本考案に係る別の制御盤内の風向可変型空気循環装置において、ファン取付け板が左右にスライド可能である。
【００１１】
上記構造では、循環ファンが取り付いたファン取付け板が左右にスライド可能であるため、空気の通り道である風道を制御盤内にて調整することができる。
【考案の効果】
【００１２】
本考案の主たる構成においては、循環ファンの風向を可変できるため工作機械の制御盤での冷却機構を簡素化することができ、また安価でありながら冷却効果が高い風向可変型空気循環装置を提供することができる。
【図面の簡単な説明】
【００１３】
【図１】本考案の実施形態における配置図である。
【図２】風向可変型空気循環装置を制御盤内に組み込んだ際の概略構成図である。
【図３】風向可変型空気循環装置の上面図である。
【図４】風向可変型空気循環装置の側面図である。
【図５】風向可変型空気循環装置の正面図である。
【図６】角度調整金具の上面図（ａ）及び断面図（ｂ）である。
【図７】ファンブラケットの背面図（ａ）、上面図（ｂ）及び側面図（ｃ）である。
【図８】ファン取付け板の正面図である。
【考案を実施するための形態】
【００１４】
以下、本考案にかかる実施の形態について図面を参照しつつ説明する。
【００１５】
図１は、本考案の実施形態における配置図であり、Ａは工具を有する工作機械であり、その工作機械Ａの近傍に配置された箱体状の制御盤Ｂによって制御される。図２に示すように、箱体状の制御盤Ｂは開閉可能な扉を有し、その上部にはディスプレーやパソコン等のコンピュータ数値制御（ＣＮＣ）装置ｂ１が配設され、制御機器ｂ１の下方にはサーボアンプ、シーケンサー及び直流電源装置等の発熱装置ｂ２が配設されている。制御盤Ｂが稼働している時、制御盤内の温度が空気の滞留により上部が６０℃程度、下部が４０℃程度となり上部に内蔵されているＣＮＣ装置ｂ１の定格使用温度範囲の上限５５℃を超えてしまいエラーを起し、安全装置により工作機械Ａが停止する場合がある。そのため、本考案では制御盤Ｂ内に風向可変型空気循環装置１を取り付けることにより、制御盤内に滞留する空気を上から下、下から上に時計回りに循環させ、温度を均一化させ上部の温度を定格使用温度範囲の上限を下回る５５℃未満とするものである。このように本考案では外気を取り入れず制御盤内だけで空気を循環させているため、粉塵やミストによる冷却能力低下を抑制することができる。
【００１６】
図３〜図５に示されるように、風向可変型空気循環装置１は、制御盤内の空気を循環させる循環ファン５と、循環ファン５の空気吹き出し口の開口部を有するファン取付け板４と、ファン取付け板４を固定するファンブラケット３と、ファンブラケット３を３６０度回転自在にする角度調整金具２と備えている。
【００１７】
角度調整金具２は、制御盤Ｂの側壁に取り付けられる、例えば、３５ｍｍ幅のＤＩＮレール等のレール８にワンタッチで取り付け・取り外し可能なレール取付け金具７に組付くものである。図６に示される様に角度調整金具２は、上下のレール金具取付け穴２２にネジを通してレール取付け金具７と一体化する。角度調整金具２の略中央部にはファンブラケット３を固定するための第１中心穴２０が形成され、第１中心穴２０の同心円状に角度調整穴２１が毎２２．５度に計１６個形成されている。これにより、４５度や９０度等の角度調整を容易に行うことができる。
【００１８】
ファンブラケット３は図７に示される様に、頂壁板３０、背壁板３１及び側壁部３５を有るコの字状の形状をしている。頂壁板３０には、ファン取付け板４を取り付けるためのネジ穴３６と、切欠き部３４を有している。背壁板３１の略中心部には、角度調整金具２の第１中心穴２０と連通する第２中心穴３２を有し、ビス等により角度調整金具２にファンブラケット３が固定される。背壁板３１の端部であって第２中心穴３２の直下には、角度調整穴２１に入り込む突起部３３が突設されている。
【００１９】
ファン取付け板４は図８に示される様に、循環ファン５の空気吹き出し口の開口部４０を有し、ファン取付け板４をファンブラケット３にネジで固定するための長穴４１を有し、循環ファン５及びファンを防護したり異物を巻き込まないための防護ガード５１をネジ等で取り付ける取付け穴４２を有している。ファン取付け板４には、循環ファン５の電源端子等を固定させる端子台６を取り付けるための基部が配設されている。ファン取付け板４は左右にある長穴４１Ｌ、４１Ｒの間でネジの固定箇所を移動することができるため、それに伴い図３に示される様に風向可変型空気循環装置１を左右方向にスライド移動することができる。なお、図３においては、右側に最大量スライド移動させたものが破線で記されており、その時のネジ留めは左側の長穴４１Ｌの２箇所にて留められる。
【００２０】
このように本考案の風向可変型空気循環装置１は、３６０度回転自在であり、特に毎２２．５度に固定可能であり循環ファン５を高温に発熱する発熱機器ｂ２に向けて固定することができるため冷却効率を高めることが可能となる。また、循環ファン５が取り付いたファン取付け板４が左右にスライド可能であるため、空気の通り道である風道を制御盤内にて調整することができる。
【産業上の利用可能性】
【００２１】
以上説明したように、工作機械の制御盤での冷却機構を簡素化することができ、また安価でありながら冷却効果が高い風向可変型空気循環装置を提供することができる。
【符号の説明】
【００２２】
１  ；風向可変型空気循環装置
２  ；角度調整金具
２０；第１中心穴
２１；角度調整穴
２２；レール金具取付け穴
３  ；ファンブラケット
３０；頂壁板
３１；背壁板
３２；第２中心穴
３３；突起部
３４；切欠き部
３５；側壁板
３６；ネジ穴
４  ；ファン取付け板
４０；吹き出し口
４１；長穴
４２；取付け穴
５  ；ファン本体
５１；防護カード
６  ；端子台
７  ；レール取付け金具
８  ；レール
Ａ  ；工作機械
Ｂ  ；制御盤
ｂ１；コンピュータ数値制御（ＣＮＣ）装置
ｂ２；発熱機器
【図１】
0003194881.tif 000003
【図２】
0003194881.tif 000004
【図３】
0003194881.tif 000005
【図４】
0003194881.tif 000006
【図５】
0003194881.tif 000007
【図６】
0003194881.tif 000008
【図７】
0003194881.tif 000009
【図８】
0003194881.tif 000010